(57)【要約】  画像形成装置（１）は、画像形成部（６）と、複数の記録紙トレイ（７ａ〜７ｎ）と、記憶部（５）と、給紙段選択部（１２）とを具備する。画像形成部（６）は、ペーパープロファイルに基づいて詳細印刷を実行する。複数の記録紙トレイ（７ａ〜７ｎ）は、画像形成部（６）に給送する記録紙を収容する。記憶部（５）は、記録紙トレイ（７ａ）〜記録紙トレイ（７ｎ）に対してペーパープロファイルとユーザーの手動による属性値群の手動設定とのいずれかを紐付けした給紙段設定情報（５２）を記憶する。給紙段選択部（１２）は、印刷指示に基づいて画像形成部（６）に記録紙を給送する記録紙トレイ（７）を選択する。給紙段選択部（１２）は、選択した記録紙トレイ（７）にペーパープロファイルが紐付けられていない場合、手動設定を画像形成部（６）に通知して簡易印刷を実行させる。
2020129469.tif 000002
【特許請求の範囲】
【請求項１】
印刷に必要な記録紙の属性値群をひとまとまりにしたペーパープロファイルに基づいて、印刷条件を記録紙に応じて最適化した詳細印刷を実行する画像形成装置であって、
前記ペーパープロファイルに基づいて前記詳細印刷を実行する画像形成部と、
前記画像形成部に給送する記録紙を収容する複数の記録紙トレイと、
前記記録紙トレイに対して前記ペーパープロファイルとユーザーの手動による属性値群の手動設定とのいずれかを紐付けした給紙段設定情報を記憶する記憶部と、
印刷指示に基づいて前記画像形成部に記録紙を給送する前記記録紙トレイを選択する給紙段選択部と
を具備し、
前記給紙段選択部は、前記給紙段設定情報を参照することで、選択した前記記録紙トレイに紐付けられた前記ペーパープロファイルを前記画像形成部に通知して前記詳細印刷を実行させ、選択した前記記録紙トレイに前記ペーパープロファイルが紐付けられていない場合、前記手動設定を前記画像形成部に通知して簡易印刷を実行させる、画像形成装置。
【請求項２】
前記記録紙トレイに紐付けされた前記ペーパープロファイルを前記簡易印刷の用紙タイプに変換するタイプ変換部を具備し、
前記給紙段選択部は、前記ペーパープロファイルを指定した前記詳細印刷の印刷指示を受け付けると、前記ペーパープロファイルが紐付けられた前記記録紙トレイを選択し、前記ペーパープロファイルを前記画像形成部に通知して前記詳細印刷を実行させ、前記簡易印刷の印刷指示を受け付けると、前記タイプ変換部によって変換された前記用紙タイプを利用することで、前記ペーパープロファイルが紐付けられているか否かに拘わらず、全ての前記記録紙トレイの中から印刷ジョブに含まれる設定値に該当するものを選択して前記簡易印刷を実行させる、請求項１に記載の画像形成装置。
【請求項３】
前記給紙段設定情報は、前記記録紙トレイに対して前記ペーパープロファイルを紐付けし、
前記記録紙トレイに収容された記録紙の情報を検出する用紙センサーと、
前記記録紙トレイの開閉動作を検出する開閉検出センサーと、
前記開閉検出センサーによって前記記録紙トレイの開閉動作が検出され、前記用紙センサーによって検出された記録紙の情報と前記給紙段設定情報とが不一致の場合、前記用紙センサーによって検出された記録紙の情報に該当する前記ペーパープロファイルの一覧を提示し、選択された前記ペーパープロファイルを用いて前記給紙段設定情報を更新する給紙段設定部と
を更に具備する、請求項１に記載の画像形成装置。
【請求項４】
前記用紙センサーは、前記記録紙トレイに収容された記録紙の情報として用紙サイズを検出する用紙サイズセンサーである、請求項３に記載の画像形成装置。
【請求項５】
前記用紙センサーは、前記記録紙トレイに収容された記録紙の情報として用紙種別を検出する用紙種別検出センサーである、請求項３に記載の画像形成装置。
【請求項６】
前記用紙センサーは、
前記記録紙トレイに収容された記録紙の情報として用紙サイズを検出する用紙サイズセンサーと、前記記録紙トレイに収容された記録紙の情報として用紙種別を検出する用紙種別検出センサーとを有する、請求項３に記載の画像形成装置。
【請求項７】
前記給紙段設定部は、前記開閉検出センサーによって前記記録紙トレイの開閉動作が検出されると、前記用紙センサーによって検出された記録紙の情報によって特定される前記ペーパープロファイルを用いて前記給紙段設定情報を更新する、請求項３に記載の画像形成装置。
【請求項８】
前記用紙センサーは、前記記録紙トレイに収容された記録紙の情報として用紙サイズを検出する用紙サイズセンサーである、請求項７に記載の画像形成装置。
【請求項９】
前記用紙センサーは、前記記録紙トレイに収容された記録紙の情報として用紙種別を検出する用紙種別検出センサーである、請求項７に記載の画像形成装置。
【請求項１０】
前記用紙センサーは、
前記記録紙トレイに収容された記録紙の情報として用紙サイズを検出する用紙サイズセンサーと、前記記録紙トレイに収容された記録紙の情報として用紙種別を検出する用紙種別検出センサーとを有する、請求項７に記載の画像形成装置。
【発明の詳細な説明】
【技術分野】
【０００１】
本発明は、プロダクションプリンティングに対応した画像形成装置に関する。
【背景技術】
【０００２】
プロダクションプリンティングでは、市場に広く流通している代表的な記録紙を評価し、印刷に必要な記録紙の属性値群をひとまとまりにしたペーパープロファイルの一覧データベースをペーパーカタログとして提供している（例えば、特許文献１、２を参照）。これにより、ユーザーはペーパーカタログの中から使用する記録紙を印刷操作時に選択するだけで、ペーパープロファイルに基づいて印刷条件を記録紙に応じて最適化した詳細印刷を実行することができる。
【先行技術文献】
【特許文献】
【０００３】
【特許文献１】特開２００６−３１７０４号公報
【特許文献２】特開２０１６−２２４６９７号公報
【発明の概要】
【発明が解決しようとする課題】
【０００４】
しかしながら、プロダクションプリンティングの業界では、多品種小ロット化の流れが進み、ライトプロダクションと呼ばれる企業内集中印刷（ＣＲＤ：Ｃｎｔｒａｌ  Ｒｅｐｒｏｇｒａｐｈｉｃｓ  Ｄｅｐａｒｔｍｅｎｔ）の要請がある。また、プリントショップでは、従来に増して、様々印刷の要請がある。そのため、ペーパープロファイルに基づく詳細印刷と、オフィス向けの簡易印刷とを共存させた環境が必要となってきている。ところが、互いのユーザーインタフェースも大きく異なっているため、ペーパープロファイルに基づく詳細印刷と、オフィス向けの簡易印刷とを共存させた環境を提供することが困難であった。【０００５】
本発明は、上記課題に鑑みてなされたものであり、プロダクションプリンティングで利用されているペーパープロファイルに基づく詳細印刷と、オフィス向けの簡易印刷とを共存させることができる画像形成装置を提供することを目的とする。
【課題を解決するための手段】
【０００６】
本発明の画像形成装置は、印刷に必要な記録紙の属性値群をひとまとまりにしたペーパープロファイルに基づいて、印刷条件を記録紙に応じて最適化した詳細印刷を実行する画像形成装置であって、画像形成部と、複数の記録紙トレイと、記憶部と、給紙段選択部とを具備する。前記画像形成部は、前記ペーパープロファイルに基づいて前記詳細印刷を実行する。前記複数の記録紙トレイは、前記画像形成部に給送する記録紙を収容する。前記記憶部は、前記記録紙トレイに対して前記ペーパープロファイルとユーザーの手動による属性値群の手動設定とのいずれかを紐付けした給紙段設定情報を記憶する。前記給紙段選択部は、印刷指示に基づいて前記画像形成部に記録紙を給送する前記記録紙トレイを選択する。前記給紙段選択部は、前記給紙段設定情報を参照することで、選択した前記記録紙トレイに紐付けられた前記ペーパープロファイルを前記画像形成部に通知して前記詳細印刷を実行させる。前記給紙段選択部は、選択した前記記録紙トレイに前記ペーパープロファイルが紐付けられていない場合、前記手動設定を前記画像形成部に通知して簡易印刷を実行させる。
【発明の効果】
【０００７】
本発明によれば、選択した記録紙トレイ７にペーパープロファイルが紐付けられていない場合、ユーザーによる手動設定で簡易印刷を実行させることができる。このため、プロダクションプリンティングで一般的に利用されているペーパープロファイルに基づく詳細印刷と、オフィス向けの簡易印刷とを共存させることができるという効果を奏する。
【図面の簡単な説明】
【０００８】
【図１】本発明に係る画像形成装置の実施の形態の概略構成を示すブロック図である。
【図２】図１に示す給紙段設定情報例を示す図である。
【図３Ａ】本発明に係る画像形成装置の実施の形態による整合確認動作を示す前段のフローチャートである。
【図３Ｂ】本発明に係る画像形成装置の実施の形態による整合確認動作を示す後段のフローチャートである。
【図４Ａ】本発明に係る画像形成装置の実施の形態による給紙段選択動作を示す前段のフローチャートである。
【図４Ｂ】本発明に係る画像形成装置の実施の形態による給紙段選択動作を示す後段のフローチャートである。
【発明を実施するための形態】
【０００９】
以下、本発明の実施の形態について、図面を参照して具体的に説明する。
【００１０】
本実施の形態の画像形成装置１は、ＭＦＰ（Ｍｕｌｔｉｆｕｎｃｔｉｏｎ  Ｐｅｒｉｐｈｅｒａｌ／Ｍｕｌｔｉｆｕｎｃｔｉｏｎ  Ｐｒｉｎｔｅｒ／Ｍｕｌｔｉｆｕｎｃｔｉｏｎ  Ｐｒｏｄｕｃｔ）である。図１に示すように、画像形成装置１は、原稿読取部２と、原稿給送部３と、操作部４と、記憶部５と、画像形成部６と、記録紙トレイ７ａ〜記録紙トレイ７ｎと、画像処理部８と、通信部９と、制御部１０とを備えている。
【００１１】
原稿読取部２は、原稿に対して光を照射し、その反射光等を受光して原稿画像を読み取る読取ユニットである。原稿読取部２は、原稿が載置されるコンタクトガラスと、原稿給送部３の搬送経路に設けられたスリットガラスとを備えている。
【００１２】
原稿給送部３は、原稿載置面に載置された原稿を１枚ずつ順に繰り出して原稿読取部２に給送する。原稿給送部３と原稿読取部２とは、画像形成装置１の奥側でヒンジ機構によって回動可能に接続されている。原稿給送部３は、コンタクトガラスに対向して設けられた回動可能な原稿台カバーとして機能する。原稿給送部３を上方に開くことで、コンタクトガラス上面が開放され、コンタクトガラスに原稿をセットできる状態となる。
【００１３】
操作部４は、液晶ディスプレイ等の表示部と、各種の操作ボタンとが設けられている。ユーザーの操作部４の操作ボタンの操作入力により、画像形成装置１の各種の設定が行われ、画像形成等の各種機能が実行される。表示部は、画像形成装置１の状態を表示したり、画像形成状況や印刷部数を表示したりする。表示部は、タッチパネルであり、ユーザーの指示に応じて、両面印刷又は白黒反転等の機能、倍率設定又は濃度設定など、各種設定を行う。
【００１４】
記憶部５は、半導体メモリーやＨＤＤ（Ｈａｒｄ  Ｄｉｓｋ  Ｄｒｉｖｅ）等の記憶手段であり、原稿読取部２によって原稿を読み取ることで取得された画像データ等の各種画像データが記憶される。また、記憶部５には、ペーパーリスト５１と、給紙段設定情報５２と、タイプ変換表５３とが記憶されている。
【００１５】
ペーパーリスト５１は、プロダクションプリンティングで一般的に利用されているペーパーカタログであり、印刷に必要な記録紙の属性値群をひとまとまりにしたペーパープロファイルが記録紙ごとに登録されている。ペーパープロファイルは、記録紙の名称、用紙サイズ、用紙タイプ、坪量、色、穴の有無等の情報を含む。
【００１６】
給紙段設定情報５２は、図２に示すように、給紙段である記録紙トレイ７ａ〜記録紙トレイ７ｎと、収容された記録紙のペーパープロファイルとを紐付けする情報である。なお、給紙段設定情報５２の各給紙段には、ユーザーの手動による属性値群の設定（以下、手動設定と称す）を紐付けることが可能である。さらに、給紙段設定情報５２の各給紙段には、ペーパープロファイルと手動設定とのいずれかが紐付けられる。したがって、ペーパープロファイルが紐付けられていない給紙段（記録紙トレイ７ｂ）は、手動設定が紐付けられた状態となる。換言すると、手動設定は、給紙段にペーパープロファイルが紐付けられていない時のみ有効となる。給紙段にペーパープロファイルが紐付けられている場合、画像形成部６は、ペーパープロファイルに基づいて詳細印刷が実行する。そして、給紙段に手動設定が紐付けられている場合、画像形成部６は、手動設定に基づいて簡易印刷を実行する。
【００１７】
タイプ変換表５３は、詳細印刷に用いるペーパープロファイルを、簡易印刷の用紙タイプに変換するための表である。すなわち、ペーパープロファイルにも用紙タイプが含まれているが、簡易印刷の用紙タイプとは一致しない。そこで、タイプ変換表５３は、ペーパープロファイルに含まれる用紙サイズ、用紙タイプ、坪量、色、穴の有無に基づいて、ペーパープロファイルに最も類似する簡易印刷の用紙タイプを特定するための情報を提供する。
【００１８】
画像形成部６は、例えば、感光体ドラムと、帯電部、露光部と、現像部と、転写部と、クリーニング部と、定着部とを備える。画像形成部６は、形成した画像を記録紙に記録する。
【００１９】
画像形成部６は、ペーパープロファイルの通知を受けることで、ペーパープロファイルの属性値群に基づいて、印刷条件を記録紙に応じて最適化した詳細印刷を実行する。また、画像形成部６は、手動設定の通知を受けることで、手動設定の属性値群に基づいて、所定の印刷条件で簡易印刷を実行する。なお、印刷条件は、印刷速度、又は画像形成に係る各プロセスの設定に用いる。
【００２０】
記録紙トレイ７は、画像形成部６に給紙する記録紙が収容される給紙段である。本実施の形態において、給紙段は、記録紙トレイ７ａ〜記録紙トレイ７ｎのｎ段が設けられている。
【００２１】
記録紙トレイ７ａ〜記録紙トレイ７ｎには、収容された記録紙の用紙サイズを検出する用紙サイズセンサー７１１〜用紙サイズセンサー７１ｎがそれぞれ設けられている。用紙サイズセンサー７１ａ〜用紙サイズセンサー７１ｎは、例えば、各トレイに設けられた用紙ガイドの間隔に基づいて記録紙の用紙サイズを検出する。なお、用紙サイズセンサー７１は、用紙サイズセンサー７１ａ〜用紙サイズセンサー７１ｎの総称である。
【００２２】
また、記録紙トレイ７ａ〜記録紙トレイ７ｎには、開閉検出センサー７２ａ〜開閉検出センサー７２ｎがそれぞれ設けられている。開閉検出センサー７２ａ〜開閉検出センサー７２ｎは、引き出し可能な図示しないカセット内に設けられ、トレイの開閉動作を検出する。記録紙トレイ７ａ〜記録紙トレイ７ｎへの記録紙の補充や入れ換えは、トレイの開閉動作を伴う。したがって、開閉検出センサー７２ａ〜開閉検出センサー７２ｎによって、記録紙トレイ７ａ〜記録紙トレイ７ｎに収容された記録紙へのアクセスが検出される。なお、開閉検出センサー７２は、開閉検出センサー７２ａ〜開閉検出センサー７２ｎの総称である。
【００２３】
また、記録紙トレイ７ａ〜記録紙トレイ７ｎには、用紙種別検出センサー７３ａ〜用紙種別検出センサー７３ｎがそれぞれ設けられている。用紙種別検出センサー７３ａ〜用紙種別検出センサー７３ｎは、例えば、反射型の光学センサーを使用し、拡散反射率を検出して用紙タイプ、色、穴の有無等の記録紙の用紙種別を検出する。なお、用紙種別検出センサー７３は、用紙種別検出センサー７３ａ〜用紙種別検出センサー７３ｎの総称である。
【００２４】
画像処理部８は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を備えたマイクロコンピューター等の演算処理回路である。画像処理部８は、例えば、拡大縮小処理、濃度調整処理、階調調整処理等の画像処理に係る各種ジョブを実行する。
【００２５】
通信部９は、ＬＡＮ等のネットワーク２０を介して、パーソナルコンピューター等の周辺機器２１との間で各種データを送受信するデータ通信機能を有する。また、通信部９は、ネットワーク２０およびルーター２２を介してインターネット２３に接続可能に構成されている。そして、通信部９は、インターネット２３に接続されている各種通信機器との間で各種データを送受信する機能を有する。
【００２６】
制御部１０は、ＣＰＵ、ＲＯＭ、ＲＡＭ等を備えたマイクロコンピューター等の情報処理部である。ＲＯＭには、画像形成装置１の動作制御を行うための制御プログラムが記憶されている。制御部１０は、ＲＯＭに記憶されている制御プログラムを読み出し、制御プログラムをＲＡＭに展開させることで装置全体の制御を行う。
【００２７】
また、制御部１０は、給紙段設定部１１、給紙段選択部１２、タイプ変換部１３として機能する。
【００２８】
給紙段設定部１１は、操作部４や通信部９を介して記録紙トレイ７ａ〜記録紙トレイ７ｎに紐付けするペーパープロファイルを受け付け、給紙段設定情報５２に設定する。また、給紙段設定部１１は、用紙サイズセンサー７１ａ〜用紙サイズセンサー７１ｎによってカセットの開閉が検出されると、記録紙トレイ７ａ〜記録紙トレイ７ｎに紐付けられているペーパープロファイルと、収容された記録紙との整合を確認する整合確認動作を実行する。
【００２９】
給紙段選択部１２は、給紙段を指定しない印刷指示を受け付けると、印刷ジョブに含まれる設定値に該当する記録紙が収容された給紙段を選択する給紙段選択動作を実行する。
【００３０】
タイプ変換部１３は、タイプ変換表５３に基づいて、記録紙トレイ７ａ〜記録紙トレイ７ｎに紐付けられているペーパープロファイルを、簡易印刷の用紙タイプに変換する。
【００３１】
次に、給紙段設定部１１による整合確認動作について図３Ａおよび図３Ｂを参照して詳細に説明する。なお、整合確認動作は、給紙段毎に実行される。したがって、以下の説明においては、給紙段を区別することなく、記録紙トレイ７、用紙サイズセンサー７１、開閉検出センサー７２、用紙種別検出センサー７３と称する。
【００３２】
開閉検出センサー７２によってトレイの開閉が検出されると（ステップＳ１０１）、用紙サイズセンサー７１によって記録紙の用紙サイズを検出すると共に、用紙種別検出センサー７３ａ〜用紙種別検出センサー７３ｎによって記録紙の用紙種別を検出する（ステップＳ１０２）。
【００３３】
次に、給紙段設定部１１は、検出された記録紙の用紙サイズおよび用紙種別に基づいて、ペーパーリスト５１から１つのペーパープロファイルが特定可能か否かを判断する（ステップＳ１０３）。
【００３４】
ステップＳ１０３で特定可能である場合、給紙段設定部１１は、特定したペーパープロファイルを用いて給紙段設定情報５２を更新することで、記録紙トレイ７と選択されたペーパープロファイルとを紐付け（ステップＳ１０４）、整合確認動作を終了する。
【００３５】
ステップＳ１０３で特定可能でない場合、給紙段設定部１１は、検出された記録紙の用紙サイズおよび用紙種別と、給紙段設定情報５２の設定（ペーパープロファイル又は手動設定）とが一致しているか否かを判断する（ステップＳ１０５）。
【００３６】
ステップＳ１０５で設定が一致している場合、給紙段設定部１１は、設定を変更するか否かの問い合わせる画面を操作部４に表示してユーザーに変更問い合わせを行い（ステップＳ１０６）、変更の有無の選択を受け付ける（ステップＳ１０７）。
【００３７】
ステップＳ１０７で変更なしの選択を受け付けた場合、給紙段設定部１１は、そのまま整合確認動作を終了する。
【００３８】
ステップＳ１０５で設定が一致していない場合と、ステップＳ１０７で変更ありの選択を受け付けた場合とで、給紙段設定部１１は、紐づける設定を手動設定とペーパープロファイルとのいずれにするかを問い合わせる画面を操作部４に表示する。さらに、給紙段設定部１１は、ユーザーに、紐づける設定の問い合わせを行う（ステップＳ１０８）。さらに、給紙段設定部１１は、ユーザーから紐付ける設定を受け付ける（ステップＳ１０９）。
【００３９】
ステップＳ１０９で、紐づける設定として手動設定を受け付けた場合、給紙段設定部１１は、ユーザーの手動による属性値群の手動設定を受け付ける（ステップＳ１１０）。そして、給紙段設定部１１は、受け付けた手動設定を用いて給紙段設定情報５２を更新することで、記録紙トレイ７と受け付けた手動設定とを紐付け（ステップＳ１１１）、整合確認動作を終了する。
【００４０】
ステップＳ１０９で、紐づける設定としてペーパープロファイルを受け付けた場合、給紙段設定部１１は、ペーパーリスト５１を参照することで、検出された用紙サイズおよび用紙種別に該当するペーパープロファイルを抽出する。さらに、給紙段設定部１１は、抽出したペーパープロファイルを操作部４に一覧表示させることでユーザーに提示する（ステップＳ１１２）。
【００４１】
次に、給紙段設定部１１は、操作部４に一覧表示させたペーパープロファイルの中からユーザーによって選択されたペーパープロファイルを用いて給紙段設定情報５２を更新する。そして、給紙段設定部１１は、記録紙トレイ７と選択されたペーパープロファイルとを紐付け（ステップＳ１１３）、整合確認動作を終了する。
【００４２】
なお、ステップＳ１１１で、紐付けた手動設定では不一致が解消されなかった場合、給紙段選択部１２は、不一致の記録紙トレイ７を使用不可（選択不可）に設定すると良い。
【００４３】
次に、給紙段選択部１２による給紙段選択動作について、図４Ａおよび図４Ｂを参照して詳細に説明する。
【００４４】
給紙段選択部１２は、印刷指示を受け付けると（ステップＳ２０１）、給紙段を指定しない印刷指示か否かを判断する（ステップＳ２０２）。
【００４５】
ステップＳ２０２で、給紙段を指定した印刷指示である場合、給紙段選択部１２は、指定された記録紙トレイ７を選択する（ステップＳ２０３）。そして、給紙段選択部１２は、給紙段設定情報５２を参照することで、選択した記録紙トレイ７にペーパープロファイルが紐付けられているか否かを判断する（ステップＳ２０４）。
【００４６】
ステップＳ２０４で、ペーパープロファイルが紐付けられている場合、給紙段選択部１２は、画像形成部６に、紐付けられたペーパープロファイルを通知し（ステップＳ２０５）、給紙段選択動作を終了する。これにより、画像形成部６は、ペーパープロファイルの属性値群に基づいて印刷条件を最適化し、ステップＳ２０３で選択された記録紙トレイ７の記録紙に詳細印刷を実行することができる。
【００４７】
ステップＳ２０４で、ペーパープロファイルが紐付けられていない場合、給紙段選択部１２は、画像形成部６に手動設定を通知し（ステップＳ２０６）、給紙段選択動作を終了する。これにより、画像形成部６は、手動設定の属性値群に基づいて所定の印刷条件で、ステップＳ２０３で選択された記録紙トレイ７の記録紙に簡易印刷を実行することができる。
【００４８】
ステップＳ２０２で、給紙段を指定した印刷指示でない場合、給紙段選択部１２は、ペーパープロファイルを指定した詳細印刷の印刷指示であるか否かを判断する（ステップＳ２０７）。
【００４９】
ステップＳ２０７で、ペーパープロファイルを指定した詳細印刷の印刷指示である場合、給紙段選択部１２は、指定されたペーパープロファイルが紐付けられた記録紙トレイ７を選択する（ステップＳ２０８）。ステップＳ２０５に至って、給紙段選択部１２は、画像形成部６に、紐付けられたペーパープロファイルを通知する。
【００５０】
ステップＳ２０７で、ペーパープロファイルを指定した詳細印刷の印刷指示でなく、簡易印刷の印刷指示である場合、タイプ変換部１３は、タイプ変換表５３に基づいて、記録紙トレイ７ａ〜記録紙トレイ７ｎに紐付けられているペーパープロファイルを、簡易印刷の用紙タイプに変換する（ステップＳ２０９）。なお、タイプ変換部１３は、ペーパープロファイルの設定時の事前に、ペーパープロファイルを簡易印刷の用紙タイプに変換しておいても良い。
【００５１】
そして、給紙段選択部１２は、タイプ変換部１３によって変換された用紙タイプを利用することで、ペーパープロファイルが紐付けられているか否かに拘わらず、全ての記録紙トレイ７ａ〜記録紙トレイ７ｎの中から印刷ジョブに含まれる設定値に該当する記録紙トレイ７を選択する（ステップＳ２１０）。ステップＳ２０６に至って、給紙段選択部１２は、画像形成部６に手動設定を通知する。
【００５２】
以上説明したように、本実施の形態は、印刷に必要な記録紙の属性値群をひとまとまりにしたペーパープロファイルに基づいて、印刷条件を記録紙に応じて最適化した詳細印刷を実行する画像形成装置１であって、画像形成部６と、複数の記録紙トレイ７ａ〜記録紙トレイ７ｎと、記憶部５と、給紙段選択部１２とを具備する。画像形成部６は、ペーパープロファイルに基づいて詳細印刷を実行する。複数の記録紙トレイ７ａ〜記録紙トレイ７ｎは、画像形成部６に給送する記録紙を収容する。記憶部５は、記録紙トレイ７ａ〜記録紙トレイ７ｎに対してペーパープロファイルとユーザーの手動による属性値群の手動設定とのいずれかを紐付けした給紙段設定情報５２を記憶する。給紙段選択部１２は、印刷指示に基づいて画像形成部６に記録紙を給送する記録紙トレイ７を選択する。給紙段選択部１２は、給紙段設定情報５２を参照することで、選択した記録紙トレイ７に紐付けられたペーパープロファイルを画像形成部６に通知して詳細印刷を実行させる。また、給紙段選択部１２は、選択した記録紙トレイ７にペーパープロファイルが紐付けられていない場合、手動設定を画像形成部６に通知して簡易印刷を実行させる。
この構成により、選択した記録紙トレイ７にペーパープロファイルが紐付けられていない場合、手動設定で簡易印刷を実行させることができる。したがって、画像形成装置１は、プロダクションプリンティングで一般的に利用されているペーパープロファイルに基づく詳細印刷と、オフィス向けの簡易印刷とを共存させることができる。
【００５３】
さらに、本実施の形態によれば、記録紙トレイ７ａ〜記録紙トレイ７ｎに紐付けされたペーパープロファイルを簡易印刷の用紙タイプに変換するタイプ変換部１３を具備する。給紙段選択部１２は、ペーパープロファイルを指定した詳細印刷の印刷指示を受け付けると、ペーパープロファイルが紐付けられた記録紙トレイ７を選択し、ペーパープロファイルを画像形成部６に通知して詳細印刷を実行させる。また、給紙段選択部１２は、簡易印刷の印刷指示を受け付けると、タイプ変換部１３によって変換された用紙タイプを利用して、ペーパープロファイルが紐付けられているか否かに拘わらず、全ての記録紙トレイ７ａ〜記録紙トレイ７ｎの中から印刷ジョブに含まれる設定値に該当するものを選択する。そして、給紙段選択部１２は、簡易印刷を実行する。
この構成により、簡易印刷の印刷指示に適した記録紙を、全ての記録紙トレイ７ａ〜記録紙トレイ７ｎの中から選択することができる。
【００５４】
また、本実施の形態によれば、画像形成装置１は、印刷に必要な記録紙の属性値群をひとまとまりにしたペーパープロファイルに基づいて、印刷条件を記録紙に応じて最適化した詳細印刷を実行する。画像形成装置１は、画像形成部６と、複数の記録紙トレイ７と、記憶部５と、用紙センサーと、開閉検出センサー７２と、給紙段設定部１１とを備える。画像形成部６は、ペーパープロファイルに基づいて詳細印刷を実行する。複数の記録紙トレイ７は、画像形成部６に給送する記録紙を収容する。記憶部５は、記録紙トレイ７に対してペーパープロファイルを紐付けした給紙段設定情報５２を記憶する。用紙センサー（用紙サイズセンサー７１、用紙種別検出センサー７３）は、記録紙トレイ７に収容された記録紙の情報を検出する。開閉検出センサー７２は、記録紙トレイ７の開閉動作を検出する。給紙段設定部１１は、開閉検出センサー７２によって記録紙トレイ７の開閉動作が検出され、用紙センサーによって検出された記録紙の情報（用紙サイズ、用紙種別）と給紙段設定情報５２とが不一致の場合、用紙センサーによって検出された記録紙の情報に該当するペーパープロファイルの一覧を提示する。そして、給紙段設定部１１は、一覧の中から選択されたペーパープロファイルを用いて給紙段設定情報５２を更新する。
この構成により、簡単な操作で記録紙トレイ７に対して適切なペーパープロファイルを紐付けることができる。
【００５５】
また、本実施の形態によれば、画像形成装置１は、印刷に必要な記録紙の属性値群をひとまとまりにしたペーパープロファイルに基づいて、印刷条件を記録紙に応じて最適化した詳細印刷を実行する。画像形成装置１は、画像形成部６と、複数の記録紙トレイ７と、記憶部５と、用紙センサーと、開閉検出センサー７２と、給紙段設定部１１とを備える。画像形成部６は、ペーパープロファイルに基づいて詳細印刷を実行する。複数の記録紙トレイ７は、画像形成部６に給送する記録紙を収容する。記憶部５は、記録紙トレイ７に対してペーパープロファイルを紐付けした給紙段設定情報５２を記憶する。用紙センサー（用紙サイズセンサー７１、用紙種別検出センサー７３）は、記録紙トレイ７に収容された記録紙の情報を検出する。開閉検出センサー７２は、記録紙トレイ７の開閉動作を検出する。給紙段設定部１１は、開閉検出センサー７２によって記録紙トレイ７の開閉動作が検出されると、用紙センサーによって検出された記録紙の情報で特定されるペーパープロファイルを用いて給紙段設定情報５２を更新する。
この構成により、自動で記録紙トレイ７に対して適切なペーパープロファイルを紐付けることができる。
【００５６】
なお、本発明が上記各実施の形態に限定されず、本発明の技術思想の範囲内において、各実施の形態は適宜変更され得ることは明らかである。
【図１】
2020129469.tif 000003
【図２】
2020129469.tif 000004
【図３Ａ】
2020129469.tif 000005
【図３Ｂ】
2020129469.tif 000006
【図４Ａ】
2020129469.tif 000007
【図４Ｂ】
2020129469.tif 000008
【国際調査報告】
2020129469.tif 000009
2020129469.tif 000010
2020129469.tif 000011
2020129469.tif 000012